(57)【要約】【課題】  識別性や取扱性のあるＬ型棒状レンチを提供する。【解決手段】  本考案は棒体をＬ型に曲げたＬ型棒状レンチであり、その軸部に色彩の異なる被包体を被包したものからなる。【選択図】  図４
0003134604.tif 000002
【実用新案登録請求の範囲】
【請求項１】
棒体をＬ型に曲げてなることを特徴とするＬ型棒状レンチ。
【請求項２】
前記棒体が、横断面六角状のものからなることを特徴とする請求項１に記載のＬ型棒状レンチ。
【請求項３】
前記棒体が、引き抜きにより凹凸横断面を形成するものからなることを特徴とする請求項１に記載のＬ型棒状レンチ。
【請求項４】
前記棒体が、その端面にボール部を形成するものからなることを特徴とする請求項１乃至３のいずれかに記載のＬ型棒状レンチ。
【請求項５】
前記Ｌ型棒状レンチは、その軸部が被包体により覆われることを特徴とする請求項１乃至４のいずれかに記載のＬ型棒状レンチ。
【請求項６】
前記被包体が、軸部に回転可能に挿着されるパイプ体又は固着されるグリップ体からなることを特徴とする請求項５に記載のＬ型棒状レンチ。
【請求項７】
前記被包体が、棒状レンチの型式及び寸法に対応して定められる大きさ及び色彩を有するものからなることを特徴とする請求項５又は６に記載のＬ型棒状レンチ。
【請求項８】
前記グリップ体からなる被包体が、膨出形状のものからなることを特徴とする請求項５乃至７のいずかに記載のＬ型棒状レンチ。
【考案の詳細な説明】
【技術分野】
【０００１】
本考案は、Ｌ型に棒体を曲げたレンチに係り、かつその軸部に被包体を有するＬ型棒状レンチに関する。
【背景技術】
【０００２】
棒状レンチ（ボールポイントを含む）としては、例えば、「特許文献１」や「特許文献２」に示すものがあるが、この軸部に被包体を有するものは見当らない。
【特許文献１】特開２００３−２０５４７２号（図１）
【特許文献２】特開２００３−２５１５７１号（図１）
【考案の開示】
【考案が解決しようとする課題】
【０００３】
「特許文献１」の「特開２００３−２０５４７２号」の「レンチ体」は商品価値の高いレンチ体を示すものであるが、その（図１）等にあるようにその横断面は六角形状のものからなり、被包体を有するものではない。
また、「特許文献２」の「特開２００３−２５１５７１号」の「Ｌ型レンチの製造法」では、このレンチの材料として断面多角形状の棒状鋼材を用いていることが開示されているが引き抜き材を用いていることは開示されていない。また、被包体についても全く開示されていない。
【０００４】
以上のように、棒状レンチ自体は各種のものがあり色々な寸法，大きさのものがあり、その形態も各種のものがあるため、区別をすることが必要である。
【０００５】
本考案は、以上の事情に鑑みて考案されたものであり、識別性があり、かつ取扱性のよいＬ型棒状レンチを提供することを目的とする。
【課題を解決するための手段】
【０００６】
本考案は、以上の目的を達成するために、請求項１の考案は、棒体をＬ型に曲げてなることを特徴とする。
【０００７】
また、請求項２の考案は、前記棒体が、横断面六角状のものからなることを特徴とする。
【０００８】
また、請求項３の考案は、前記棒体が、引き抜きにより凹凸横断面を形成するものからなることを特徴とする。
【０００９】
また、請求項４の考案は、前記棒体が、その端面にボール部を形成するものからなることを特徴とする。
【００１０】
また、請求項５の考案は、前記Ｌ型棒状レンチは、その軸部が被包体により覆われることを特徴とする。
【００１１】
また、請求項６の考案は、前記被包体が、軸部に回転可能に挿着されるパイプ体又は固着されるグリップ体からなることを特徴とする。
【００１２】
また、請求項７の考案は、前記被包体が、棒状レンチの型式及び寸法に対応して定められる大きさ及び色彩を有するものからなることを特徴とする。
【００１３】
また、請求項８の考案は、前記グリップ体からなる被包体が、膨出形状のものからなることを特徴とする。
【考案の効果】
【００１４】
本考案の請求項１のＬ型棒状レンチによれば、棒状レンチとしてはＬ型のものからなり取扱性の向上が図れる。
【００１５】
また、本考案の請求項２のＬ型棒状レンチによれば、棒体として六角状のものを用いるため、一般的な形状であり、低コスト化が図れる。
【００１６】
また、本考案の請求項３のＬ型棒状レンチによれば、棒材として引き抜き材を用いるため切削工程が不要となり、低コスト化が図れる。
【００１７】
また、本考案の請求項４のＬ型棒状レンチによれば、棒体としてその端面にボール部を形成するため、使用性の向上が図れる。
【００１８】
また、本考案の請求項５のＬ型棒状レンチによれば、棒体の軸部に被包体を設けるため、取扱性の向上や識別性を有することができる。
【００１９】
また、本考案の請求項６のＬ型棒状レンチによれば、被包体が、パイプ体やグリップ体からなるため、取扱性及び／又は識別性の向上が図れる。
【００２０】
また、本考案の請求項７のＬ型棒状レンチによれば、棒状レンチの大きさや型式が色別に表示可能であり、大幅な識別性の向上が図れる。
【００２１】
また、本考案の請求項８のＬ型棒状レンチによれば、グリップ体が膨出形状のものからなるため、掴み易く，取扱性の向上が図れる。
【考案を実施するための最良の形態】
【００２２】
以下、本考案のＬ型棒状レンチの実施の形態を図面を参照して詳述する。
Ｌ型棒状レンチとしては、まず、棒材として任意の断面形状の棒体や六角断面形状のものや引き抜きによって形成される断面形状を有するものがあり、夫々がＬ型に曲げられたものからなる。更に、単にＬ型に曲げたのみならず、その端面にボール部を形成したものからなる。また、すべての形態のものに後に説明する被包体をその軸部に設けたものもある。以上のすべての実施例としては以上のすべての形態のものが挙げられるが、以下の説明では引き抜き材を用いたものについてのみ説明するが、その他の棒体に対しても同一の形態のものが採用されることは勿論である。
【００２３】
図１は引き抜き材を用いたＬ型形状レンチ１を示すものである。このものは引き抜きによって形成された棒体をＬ型に曲げたものからなり、その断面形成としては図３に示すものからなる。このものは図３に示すように凹凸断面のものからなり、この凹凸部が円滑なカーブによって連接されるものからなる。このものは通常の棒体よりも低コスト化となり、トルクスレンチとも称されるものである。
【００２４】
図２は図１のものと同じく引き抜き材をＬ型に曲げたものであるが、このＬ型棒状レンチ１ａはその一端部にボール部２を形成したものからなる。このボール部２により斜め方向からの回動が可能となり、高用途機能を有するものである。なお、このものの軸部の断面形状は図３に示すものからなる。
【００２５】
図４及び図５は前記のＬ型棒状レンチ１及び１ａの軸部に被包体のものであるパイプ体３を被せたものを示す。図６に示すようにこのパイプ体３は前記軸部に対して回転可能に挿着されるものであるが、前記軸部に沿って移動しないように止め輪５を上下に配置したものからなる。勿論、止め輪５はなくてもよい。また、このパイプ体３はＬ型棒状レンチの大きさ，型式に対応して色彩を変えるものが採用されるが、勿論一色でもよい。また、パイプ体３を一色として止め輪５の色を変えるものでもよい。
【００２６】
このパイプ体３を設けることによりＬ型棒状レンチの回転が円滑に行われ、早廻しが可能となる。この機能は「特開２００５−３０５５６４号」の「クイックＴ型レンチ」に開示されているものと似ているが、本考案はあくまでＬ型棒状レンチに関するものであり、両者は相違するものである。
【００２７】
図７及び図８は引き抜き材からなるＬ型棒状レンチ１及びＬ型棒状レンチ１ａに被包体の１つであるグリップ体４を用いたものである。このグリップ体４は図９（ａ），（ｂ）に示す形状のものからなり、膨出形態のものからなり、前記軸部に固着するものからなる。このものはパイプ体３のように早廻しを目的でなく取扱性の向上を図るものである。また、このグリップ体４もＬ型棒状レンチの大きさ，形式によって色彩を変化させるものでもよい。グリップ体４を鼓型の膨出形態にすることにより、これを平面床においても掴み出しが容易にできる。また、色彩を変えることにより識別性の向上が図れる。また、膨出形態は鼓型に限るものでなく、任意のものが適用される。また、この材質についても限定するものではないが、耐久性や耐油性のあるものが望ましい。
【産業上の利用可能性】
【００２８】
本考案は、Ｌ型棒状レンチについて適用され、実施例では引き抜き材を用いたものについて説明したが、すべての形態のＬ型棒状レンチに適用され、その利用範囲は広い。
【図面の簡単な説明】
【００２９】
【図１】引き抜き材を用いたＬ型棒状レンチの平面図。
【図２】引き抜き材を用い端部にボール部を形成したＬ型棒状レンチの平面図。
【図３】図１及び図２のＡ−Ａ線断面図。
【図４】図１に示したＬ型棒状レンチの軸部にパイプ体を挿着したものを示す平面図。
【図５】図２に示したＬ型棒状レンチの軸部にパイプ体を挿着したものを示す平面図。
【図６】図４及び図５のＢ−Ｂ線断面図。
【図７】図１に示したＬ型棒状レンチにグリップ体を固着したものを示す平面図。
【図８】図２に示したＬ型棒状レンチの軸部にグリップ体を固着したものを示す平面図。
【図９】図８及び図９のＣ−Ｃ線断面図。
【符号の説明】
【００３０】
１    Ｌ型棒状レンチ
１ａ  Ｌ型棒状レンチ
２    ボール部
３    パイプ体
４    グリップ体
５    止め輪
【図１】
0003134604.tif 000003
【図２】
0003134604.tif 000004
【図３】
0003134604.tif 000005
【図４】
0003134604.tif 000006
【図５】
0003134604.tif 000007
【図６】
0003134604.tif 000008
【図７】
0003134604.tif 000009
【図８】
0003134604.tif 000010
【図９】
0003134604.tif 000011
【手続補正書】
【提出日】平成19年5月24日(2007.5.24)
【手続補正１】
【補正対象書類名】明細書
【補正対象項目名】００２３
【補正方法】変更
【補正の内容】
【００２３】
図１は引き抜き材を用いたＬ型形状レンチ１を示すものである。このものは引き抜きによって形成された棒体をＬ型に曲げたものからなり、その断面形成としては図３に示すものからなる。このものは図３に示すように凹凸断面のものからなり、この凹凸部が円滑なカーブによって連接されるものからなる。このものは通常の棒体よりも低コストである。